(57)【要約】      （修正有）【課題】ソファの本体とカバーを適正に貼着でき、且つ貼着状態が強靭でありながら、着脱いずれの場合にも作業が容易に行え、カバーの交換や洗濯が容易に行えるカバー付きソファを提供する。  【解決手段】ソファの本体が面ファスナのループ面に被覆され、カバーの要部に面ファスナーのフック面を有し、脊部に設けられた分割溝にフック面を有し、該分割溝に埋設される背部カバーの裏面にループ面を有している。【選択図】図１
0003163065.tif 000002
【実用新案登録請求の範囲】
【請求項１】
ソファの本体の底面部の辺縁部以外の底面部を除く本体の全体が面ファスナのループ面に被覆されており、
本体の脊部の脊部ループ面に形成されている分割溝に面ファスナのフック面を有し、
本体のカバーが、本体の背部を被覆する背部カバー、左肘掛部を被覆する左肘掛部カバー、右肘掛部を被覆する右肘掛部カバー、そして座面部の正面を被覆する座面部正面カバーからなり、
背部カバーにおいては、本体の背部の脊部ループ面の正面下部に貼着される背部カバーの正面下部に面ファスナのフック面を有し、本体の底面の後部辺縁部のループ面に貼着される背部カバーの背面下部に面ファスナのフック面を有し、さらに本体の背部に形成されている分割溝のフック面に埋没貼着される背部カバーの裏面に面ファスナのループ面を有し、
左肘掛部カバーにおいては、本体の左肘掛部の底面辺縁部のループ面に貼着される左肘掛部カバーの下端部に面ファスナのフック面を有し、本体の左肘掛部の座面部近傍のループ面に貼着される左肘掛部カバーの下端部に面ファスナのフック面を有し、
右肘掛部カバーにおいては、本体の右肘掛部の底面辺縁部のループ面に貼着される右肘掛部カバーの下端部に面ファスナのフック面を有し、本体の右肘掛部の座面部近傍のループ面に貼着される右肘掛部カバーの下端部に面ファスナのフック面を有し、
座面部正面カバーにおいては、本体の座面部の上面の前端部のループ面に貼着される座面部正面カバーの上辺に面ファスナのフック面を有し、本体の底面前部近縁部のループ面に貼着される座面部正面カバーの下辺に面ファスナのフック面を有していることを特徴とするカバー付きソファ。
【考案の詳細な説明】
【技術分野】
【０００１】
本考案は、下記の構成を有するカバー付きソファに関するものである。
＜構成１＞
ソファの本体の底面部の辺縁部以外の底面部を除く本体の全体が面ファスナのループ面に被覆されており、
本体の脊部の脊部ループ面に形成されている分割溝に面ファスナのフック面を有し、
本体のカバーが、本体の背部を被覆する背部カバー、左肘掛部を被覆する左肘掛部カバー、右肘掛部を被覆する右肘掛部カバー、そして座面部の正面を被覆する座面部正面カバーからなり、
背部カバーにおいては、本体の背部の脊部ループ面の正面下部に貼着される背部カバーの正面下部に面ファスナのフック面を有し、本体の底面の後部辺縁部のループ面に貼着される背部カバーの背面下部に面ファスナのフック面を有し、さらに本体の背部に形成されている分割溝のフック面に埋没貼着される背部カバーの裏面に面ファスナのループ面を有し、
左肘掛部カバーにおいては、本体の左肘掛部の底面辺縁部のループ面に貼着される左肘掛部カバーの下端部に面ファスナのフック面を有し、本体の左肘掛部の座面部近傍のループ面に貼着される左肘掛部カバーの下端部に面ファスナのフック面を有し、
右肘掛部カバーにおいては、本体の右肘掛部の底面辺縁部のループ面に貼着される右肘掛部カバーの下端部に面ファスナのフック面を有し、本体の右肘掛部の座面部近傍のループ面に貼着される右肘掛部カバーの下端部に面ファスナのフック面を有し、
座面部正面カバーにおいては、本体の座面部の上面の前端部のループ面に貼着される座面部正面カバーの上辺に面ファスナのフック面を有し、本体の底面前部近縁部のループ面に貼着される座面部正面カバーの下辺に面ファスナのフック面を有していることを特徴とするカバー付きソファ。
【背景技術】
【０００２】
従来から、ソファ等の家具類や自動車のシートにおいて、カバーを本体に被せる際に、着脱の容易さと、装着状態が堅固に保持されやすい点などから、面ファスナを用いてカバーを本体に被覆貼着固定させることは通常に行われてきた。
【０００３】
しかしながら、この方法の欠点は、本体に設けられた面ファスナの一方の部材と、カバーの方に設けられた面ファスナのもう一方の部材の対応がなかなかうまくいかないというところにある。したがって、本体からカバーを剥がすときは比較的簡単に行えるが、その逆、つまり本体にカバーを被せる作業はなかなか難しいという事状があった。
【０００４】
すなわち、面ファスナは多くの場合細いベルト状で市場に供給されているため、細いベルト状の両方の部材がぴったり合わない場合には、カバーが本体に歪んで被覆されてしまい、且つ面ファスナーどうしの貼着面積が少なくなるため、接着力が弱くなるという欠点が生じた。このような状態で装着されたカバーは、人が座ることによってすぐにずれてしまい、結局再装着を余儀なくされることとなっていた。
【０００５】
下記特許文献１に記載の発明は、このような欠点を補おうとしたもので、本体全体を面ファスナのループ面で被覆し、且つカバーの裏面全体を面ファスナのフック面として、どのような被せ方をした場合でも本体の面ファスナとカバーの面ファスナの貼着面積が十分に確保され、常に強力な貼着が実現されるような構成としたものである。
【先行技術文献】
【特許文献】
【０００６】
【特許文献１】特開平５−７６７２号公報
【考案の概要】
【考案が解決しようとする課題】
【０００７】
しかしながら、上記特許文献１の発明においては、以下のような問題点があった。すなわち、本体にもカバーにも全面的に面ファスナを用いているので、たしかに貼着面積が広くなる分貼着状態は強力で、簡単にずれたり外れたりすることはありえない。しかしその分、本体からカバーを剥離させようとするときの労力が大変なものとなる。すなわち、全面的に貼着されているため、貼着の解除も全面に亘って行わなければならないので、部分的な貼着に比べるとはるかに多大な労力と時間を要することとなってしまう。
【０００８】
また、本体にカバーを被せる際にも、本体とカバーの裏面が少しでも触れ合うとそこで貼着状態が発生するので、本体にカバーを正しく被せるまでにも多大な労力と時間が必要となる。すなわち、本体とカバーの関係を適正位置にもってくるまでに本体とカバーが少しでも触れ合えば、そこに非適切な状態での貼着が発生するので、その都度その貼着を解除して作業を進めなければならず、結局より多くの手数を要する結果となってしまうのである。
【０００９】
したがって、本発明の課題は、次のとおりとなる。
課題：ソファ等の家具類や自動車のシートにおいて、本体とカバーを適正に貼着でき、且つ貼着状態が強靭で、着脱いずれの場合にも作業が容易に行えるようなカバーと本体を有する構成を開発する。
【００１０】
このうち、本発明は、特にソファとそのカバーに限定したものであるが、その理由は以下のとおりである。すなわち、本体の形状や用途によって、カバーの形状や着脱の必要性の度合い、またどのくらいの貼着力を要するかという点が変わってくるので、まず最初に本体の種別を特定しておかないと、適正なカバーの構成を特定することは困難である。
【００１１】
言い換えれば、本体とカバーはその構成において密接に結びつけられているので、カバーの適切な構成を記載するためには本体の特定が不可欠となる。そのような理由から、本考案においては、本体をソファとし、カバーをこの本体に適合する構成のカバーとして限定した。
【課題を解決するための手段】
【００１２】
本考案は、上記課題を解決するためになされたものであり、以下に示す解決手段を提供する。
＜解決手段１＞
ソファの本体の底面部の辺縁部以外の底面部を除く本体の全体が面ファスナのループ面に被覆されており、
本体の脊部の脊部ループ面に形成されている分割溝に面ファスナのフック面を有し、
本体のカバーが、本体の背部を被覆する背部カバー、左肘掛部を被覆する左肘掛部カバー、右肘掛部を被覆する右肘掛部カバー、そして座面部の正面を被覆する座面部正面カバーからなり、
背部カバーにおいては、本体の背部の脊部ループ面の正面下部に貼着される背部カバーの正面下部に面ファスナのフック面を有し、本体の底面の後部辺縁部のループ面に貼着される背部カバーの背面下部に面ファスナのフック面を有し、さらに本体の背部に形成されている分割溝のフック面に埋没貼着される背部カバーの裏面に面ファスナのループ面を有し、
左肘掛部カバーにおいては、本体の左肘掛部の底面辺縁部のループ面に貼着される左肘掛部カバーの下端部に面ファスナのフック面を有し、本体の左肘掛部の座面部近傍のループ面に貼着される左肘掛部カバーの下端部に面ファスナのフック面を有し、
右肘掛部カバーにおいては、本体の右肘掛部の底面辺縁部のループ面に貼着される右肘掛部カバーの下端部に面ファスナのフック面を有し、本体の右肘掛部の座面部近傍のループ面に貼着される右肘掛部カバーの下端部に面ファスナのフック面を有し、
座面部正面カバーにおいては、本体の座面部の上面の前端部のループ面に貼着される座面部正面カバーの上辺に面ファスナのフック面を有し、本体の底面前部近縁部のループ面に貼着される座面部正面カバーの下辺に面ファスナのフック面を有していることを特徴とするカバー付きソファ。
【考案の効果】
【００１３】
本考案のカバー付きソファは、ソファの本体の底面の辺縁部以外の底面を除く本体の全体が面ファスナのループ面に被覆されており、本体のカバーが、本体の背部を被覆する背部カバー、左肘掛部を被覆する左肘掛部カバー、右肘掛部を被覆する右肘掛部カバー、そして座面部の正面を被覆する座面部正面カバーからなっているので、全体を一枚のカバーで覆う構成と比較して、それぞれの部分の緊張状態を良好に保持することができるともに、緊張状態が緩んだ場合、その緩んだ部分のみを掛け直すことにより簡単に元の状態に復元できる。また、カバーが上記４部分から構成されていることにより、着脱が容易で確実に行える。
【００１４】
背部カバーにおいては、本体の背部の正面下部のループ面に貼着される背部カバーの正面下部に面ファスナのフック面を有し、本体の底面の後部辺縁部のループ面に貼着される背部カバーの背面下部に面ファスナのフック面を有しているので、本体の背部の正面下部のループ面に背部カバーの正面下部のフック面が適切に貼着され、本体の底面の後部辺縁部のループ面に背部カバーの背面下部のフック面が適切に貼着され、結果として、背部カバーは本体の背部に、必要最小限度の貼着部分をもって確実に貼着されることになるので、貼着状態は強靭でありながら、背部カバーの着脱が容易であり、着脱中に不必要な部分が貼着されてしまう可能性が最小限に留められる。
【００１５】
また、本体の脊部の脊部ループ面に形成されている分割溝に面ファスナのフック面を有し、さらに該フック面に埋没貼着される背部カバーに面ファスナのループ面を有しているので、本体の脊部に形成されている分割溝においては、背部カバーのループ面を該分割溝に埋設する際に、本体の脊部に露出されている面ファスナのループ面に引っ掛って繋止されることがなく、背部カバーが分割溝内部に完全に埋設されて背部カバーのループ面が強力に分割溝の内部のフック面に貼着されるに至るまで、背部カバーのループ面を分割溝内部に円滑に押し込むことが可能である。
【００１６】
もし仮に、背部カバーの分割溝に対応する部分に面ファスナのフック面が設けられていた場合には、面ファスナのフック面は、分割溝内部に完全に押し込まれる前に分割溝の周囲の面ファスナのループ面に引っ掛ってそこで繋止貼着されてしまい、背部カバーの分割溝内部への円滑な埋設作業はその時点にて中断されてしまう。このような障害が発生しない最大の理由は、背部カバーに設けられているのが面ファスナのフック面ではなくループ面であるからである。
【００１７】
また、本体の背部の正面下部のループ面に背部カバーの正面下部のフック面が貼着された部分においては、マット部を載置すればこの部分が隠れるので目立たず、さらに本体の底面の後部辺縁部に背部カバーの背面下部が貼着された部分においては、この部分は本体の底面なので外観上全く目立たない。
【００１８】
さらに、本体の背部に形成されている分割溝に背部カバーが埋設貼着された部分においては、この部分は分割溝の内部に埋没された状態となるので、外観上全く目立たない。また、背部カバーは、背部カバーの正面下部、背部カバーの背面下部の貼着によって緊張状態にあり、さらに分割溝への埋設貼着によりこの緊張状態がさらに強調されるので、外観上美しい緊張状態を保持することができるとともに、脊部にはくっきりと分割溝が形成され、機能性と審美性をともに備えることができる。
【００１９】
本考案のカバー付きソファは、左肘掛部カバーにおいては、本体の左肘掛部の底面辺縁部のループ面に貼着される左肘掛部カバーの下端部に面ファスナのフック面を有し、本体の左肘掛部の座面部近傍のループ面に貼着される左肘掛部カバーの下端部に面ファスナのフック面を有しているので、左肘掛部カバーの下端部のフック面が本体の左肘掛部の底面辺縁部のループ面に適切に貼着され、左肘掛部カバーのもう一方の下端部のフック面が本体の左肘掛部の座面部近傍のループ面に適切に貼着され、結果として、左肘掛部カバーは本体の左肘掛部に、必要最小限度の貼着部分をもって貼着されることになるので、貼着状態は強靭でありながら、左肘掛部カバーの着脱が容易であり、着脱中に不必要な部分が貼着されてしまう可能性が最小限に留められる。
【００２０】
また、本体の左肘掛部の底面辺縁部のループ面に左肘掛部カバーの下端部のフック面が貼着された部分においては、この部分は本体の底面なので外観上全く目立たず、さらに本体の左肘掛部の座面部近傍のループ面に左肘掛部カバーのもう一方の下端部が貼着された部分においては、マット部を載置すればこの部分が隠れるので外観上全く目立たたない。
【００２１】
本考案のカバー付きソファは、右肘掛部カバーにおいては、本体の右肘掛部の底面辺縁部のループ面に貼着される右肘掛部カバーの下端部に面ファスナのフック面を有し、本体の右肘掛部の座面部近傍のループ面に貼着される右肘掛部カバーの下端部に面ファスナのフック面を有しているので、右肘掛部カバーの下端部のフック面が本体の右肘掛部の底面辺縁部のループ面に適切に貼着され、右肘掛部カバーのもう一方の下端部のフック面が本体の右肘掛部の座面部近傍のループ面に適切に貼着され、結果として、右肘掛部カバーは本体の右肘掛部に、必要最小限度の貼着部分をもって貼着されることになるので、貼着状態は強靭でありながら、右肘掛部カバーの着脱が容易であり、着脱中に不必要な部分が貼着されてしまう可能性が最小限に留められる。
【００２２】
また、本体の右肘掛部の底面辺縁部のループ面に右肘掛部カバーの下端部のフック面が貼着された部分においては、この部分は本体の底面なので外観上全く目立たず、さらに本体の右肘掛部の座面部近傍のループ面に右肘掛部カバーのもう一方の下端部が貼着された部分においては、マット部を載置すればこの部分が隠れるので外観上全く目立たたない。
【００２３】
本考案のカバー付きソファは、座面部正面カバーにおいては、本体の座面部の上面の前端部のループ面に貼着される座面部正面カバーの上辺に面ファスナのフック面を有し、本体の底面前部近縁部のループ面に貼着される座面部正面カバーの下辺に面ファスナのフック面を有しているので、座面部正面カバーの上辺のフック面が本体の座面部の上面の前端部のループ面に適切に貼着され、座面部正面カバーの下辺のフック面が、本体の底面前部近縁部のループ面に適切に貼着され、結果として、座面部正面カバーは本体の座面部の正面に、必要最小限度の貼着部分をもって貼着されることになるので、貼着状態は強靭でありながら、座面部正面カバーの着脱が容易であり、着脱中に不必要な部分が貼着されてしまう可能性が最小限に留められる。
【００２４】
また、本体の座面部の上面の前端部のループ面に座面部正面カバーの上辺のフック面が貼着された部分においては、マット部を載置すればこの部分が隠れるので外観上全く目立たず、さらに本体の底面前部近縁部のループ面に座面部正面カバーの下辺のフック面が貼着された部分においては、この部分は本体の底面なので外観上全く目立たない。
【図面の簡単な説明】
【００２５】
【図１】本考案の実施例１のカバー付きソファの一部を切欠した正面図である。
【図２】本考案の実施例１のカバー付きソファの背面図である。
【図３】本考案の実施例１のカバー付きソファの平面図である。
【図４】本考案の実施例１のカバー付きソファの底面図である。
【図５】本考案の実施例１のカバー付きソファの左側面図である。
【図６】本考案の実施例１のカバー付きソファの正面から見た外観斜視図である。
【図７】図１のＡ−Ａ線断面図である。
【図８】図２のＢ−Ｂ線断面図である。
【図９】図２のＣ−Ｃ線断面図である。
【図１０】図３のＤ−Ｄ線断面図である。
【図１１】図４のＥ−Ｅ線断面図である。
【図１２】図４のＦ−Ｆ線断面図である。
【図１３】図５のＧ−Ｇ線断面図である。
【図１４】図３のＨ−Ｈ線断面図である。
【図１５】本考案の実施例１のカバー付きソファの背部カバーの外観斜視図である。
【図１６】本考案の実施例１のカバー付きソファの背部カバーを本体の背部の脊部ループ面に装着する状態を説明する説明図である。
【図１７】本考案の実施例１のカバー付きソファの左肘掛部カバーを本体の左肘掛部の左肘掛部ループ面に装着する状態を説明する説明図である。
【図１８】（ａ）本考案の実施例１のカバー付きソファの座面部正面カバーを本体の座面部正面に装着する状態を説明する説明図である。（ｂ）本考案の実施例１のカバー付きソファの座面部正面カバーを本体の座面部正面の座面部ループ面に装着した状態を説明する説明図である。
【考案を実施するための形態】
【００２６】
本考案を実施するための形態を、図面を参照しながら詳細に説明する。
【実施例１】
【００２７】
＜実施例１の構成＞
本考案の実施例１のカバー付きソファＡを、図１〜図６に示す。カバー付きソファＡは、本体１、本体１に略全面的に被覆される面ファスナのループ面２、本体１に被覆されたループ面２に被せられるカバー３より構成されている。なお、４１〜４４は本体１の底面の四隅に突設固着された脚である。また、ループ面２は縫着により被覆されていても、接着により被覆されていてもよいし、その他どのような方法で被覆されていてもよい。なお、実施例１のカバー付きソファＡの場合には、本体１の材質は木製であるが。合成樹脂製等他の材質であってもかまわない。
【００２８】
本体１は、脊部１１、左肘掛部１２、右肘掛部１３、座面部１４が一体となり、これに別体として左マット部１５、右マット部１６が加わって、全体として本体１として構成されている。また、脊部１１は面ファスナのループ面よりなる脊部ループ面２１に、左肘掛部１２は面ファスナのループ面よりなる左肘掛部ループ面２２に、右肘掛部１３は面ファスナのループ面よりなる右肘掛部ループ面２３に、座面部１４は面ファスナのループ面よりなる座面部ループ面２４に夫々被覆され、左マット部１５は面ファスナのループ面よりなる左マット部ループ面２５に、右マット部１６は面ファスナのループ面よりなる右マット部ループ面２６に、夫々被覆されている。
【００２９】
なお、脊部１１には正面と上面の中央部分に縦方向に分割溝Ｔが刻切されており、脊部ループ面２１はこの分割溝Ｔに食い込む状態で被覆縫着されているが、分割溝Ｔの中心部分には、面ファスナの分割溝フック面２１Ｆが脊部ループ面２１の上から縫着されている。したがって、分割溝Ｔは中心部分が分割溝フック面２１Ｆとなり、その周囲が脊部ループ面２１として形成されている（図７、図１０参照）。
【００３０】
脊部１１の底面部１７１と正面下端部を除く大部分には、脊部ループ面２１の上から脊部カバー３１が装着され、左肘掛部１２の底面部１７２と右側面下端部を除く大部分には、左肘掛部ループ面２２の上から左肘掛部カバー３２が装着され、右肘掛部１２の底面部１７３と左側面下端部を除く大部分には、右肘掛部ループ面２３の上から右肘掛部カバー３３が装着され、座面部１４の底面部１７４を除く上面前端部分と正面部分には座面部ループ面２４の上から座面部正面カバー３４が装着され、左マット部１５には左マット部ループ面２５の上から左マット部カバー３５が装着され、右マット部１６には右マット部ループ面２６の上から右マット部カバー３６が装着されている。
【００３１】
図４に見るように、本体１の底面部１７は、その辺縁部を除いてはループ面にもカバーにも覆われておらず、本体１の材質が露出されている。なお、１７１は本体１の脊部１１の底面部、１７２は本体１の左肘掛部１２の底面部、１７３は本体１の右肘掛部１３の底面部、１７４は本体１の座面部１４の底面部であるが、底面部１７１、１７２、１７３、１７４は分割されておらず、一体として底面部１７を構成している。
【００３２】
図１５には、脊部カバー３１を示す。脊部カバー３１は布製で、長方形状の正面部３１１、正面部３１１に比較すると下部が延伸されている長方形状の背面部３１２、細長い長方形状の上面部３１３、台形状の左側面部３１４、同じく台形状の右側面部３１５が一体として形成されている。なお、正面部３１１と上面部３１３においては中央に分割溝３１Ｔが設けられ、分割溝３１Ｔによって正面部３１１は左正面部３１１ａ、右正面部３１１ｂに分かたれ、同じく分割溝３１Ｔによって上面部３１３は左上面部３１３ａ、右上面部３１３ｂに分かたれる。
【００３３】
脊部カバー３１の正面部３１１の下端部には、裏面に帯状の面ファスナのフック面Ｆが縫着されている。また、背面部３１２の下端部は前方に湾曲されて襠部３１２ａとなり、襠部３１２ａの裏面には帯状の面ファスナのフック面Ｆが縫着されている。
【００３４】
また、左側面部３１４にては、台形状の前方下部が下方に延伸されて前襠部３１４ａとなり、台形状の後方下部が下方に延伸されて後襠部３１４ｂとなっているが、この前襠部３１４ａ、後襠部３１４ｂには面ファスナは縫着されていない。さらに、右側面部３１５にては、台形状の前方下部が下方に延伸されて前襠部３１５ａとなり、台形状の後方下部が下方に延伸されて後襠部３１５ｂとなっているが、この前襠部３１５ａ、後襠部３１５ｂにも面ファスナは縫着されていない。
【００３５】
正面部３１１と上面部３１３の中央に設けられた分割溝３１Ｔには、裏面に面ファスナの分割溝ループ面３１Ｒが縫着されている。この状態は、図７、図１０に詳細を示すとおりである。なお、図７、図１０に示すＣは軟質合成樹脂製の可撓性を有する芯材であり、脊部３１の左正面部３１１ａ、右正面部３１１ｂは、芯材Ｃを内包して縫着線Ｓによって縫着され、脊部３１の左上面部３１３ａ、右上面部３１３ｂも、同じく芯材Ｃを内包して縫着線Ｓによって縫着されている。そして、芯材Ｃを内包している部分には芯材Ｃを取り巻くように分割溝ループ面３１Ｒが縫着されている。
【００３６】
図１７に、左肘掛部カバー３２の構成を示す。左肘掛部カバー３２は布製で、長方形状の正面部３２１、長方形状の背面部３２２、細長い長方形状の上面部３２３、長方形状の左側面部３２４、長方形が階段状に複雑に切欠された形状の右側面部３２５が一体として形成されている。
【００３７】
左肘掛部カバー３２の正面部３２１の下端部は後方に湾曲されて襠部３２１ａとなり、襠部３２１ａの裏面には帯状の面ファスナのフック面Ｆが縫着されている。また、正面部３２１の右端部下部は後方に湾曲されて襠部３２１ｂとなり、襠部３２１ｂには面ファスナは縫着されていない。
【００３８】
また、左肘掛部カバー３２の背面部３２２の下端部は前方に湾曲されて襠部３２２ａとなり、襠部３２２ａの裏面には帯状の面ファスナのフック面Ｆが縫着されている。また、背面部３２２の右端部は前方に湾曲されて襠部３２２ｂとなり、襠部３２２ｂには面ファスナは縫着されていない。
【００３９】
左肘掛部カバー３２の長方形状の左側面部３２４の下端部は右方に湾曲されて襠部３２４ａとなり、襠部３２４ａの裏面には帯状の面ファスナのフック面Ｆが縫着されている。また、右側面部３２５の後端部は襠部３２５ａとなっているが、この襠部３２５ａには面ファスナは縫着されていない。また、右側面部３２５の下端部のマット対応部３２５ｂの裏面には帯状の面ファスナのフック面Ｆが縫着されている。さらに、右側面部３２５の下端部前方の座面対応部３２５ｃの裏面には帯状の面ファスナのフック面Ｆが鉤状に縫着されている。
【００４０】
右肘掛部カバー３３の構成は、左肘掛部カバー３２の構成と左右対称となるだけであるので、詳細な説明は省略する。
【００４１】
次に、座面部正面カバー３４の構成を図１８ａに示す。座面部正面カバー３４は布製で、全体が細長い長方形状であり、細長い長方形状の本体３４１の上端部は後方に湾曲されて襠部３４１ａとなり、襠部３４１ａの裏面には帯状の面ファスナのフック面Ｆが縫着されている。また、座面部正面カバー３４の本体３４１の下端部も後方に湾曲されて襠部３４１ｂとなり、襠部３４１ｂの裏面には帯状の面ファスナのフック面Ｆが縫着されている。襠部３４１ａは襠部３４１ｂより後方への延伸が若干長い。
【００４２】
座面部正面カバー３４の本体３４１の左端部は後方に湾曲されて襠部３４１ｃとなり、座面部正面カバー３４の本体３４１の右端部は後方に湾曲されて襠部３４１ｄとなっている。襠部３４１ｃ、３４１ｄには面ファスナは縫着されていない。
【００４３】
次に、実施例１のソファＡにおいて、ループ面２に被覆された本体１にカバー３を掛ける際の方法を説明する。まず、図１７のようにカバー３が掛けられておらずループ面２が露出された状態のソファＡの左肘掛部１２の左肘掛部ループ面２２に、左肘掛部カバー３２を被せる手順を説明する。この際、左肘掛部１２の底面部１７２の辺縁部は左肘掛部ループ面２２にて被覆されているので（図４参照）、左肘掛部カバー３２の正面部３２１の下端の襠部３２１ａのフック面Ｆ、背面部３２２の下端の襠部３２２ａのフック面Ｆ、左側面部３２４の下端の襠部３２４ａのフック面Ｆを、夫々底面部１７２の辺縁部に形成されている左肘掛部ループ面２２に貼着させる。さらに、右側面部３２５の下部のマット対応部３２５ｂのフック面Ｆと座面部対応部３２５ｃのフック面Ｆを左肘掛部１２の左肘掛部ループ面２２の右側面に貼着させる。これにて、左肘掛部カバー３２は、上下方向に緊張させられた状態となる。
【００４４】
次に、図２に見るように、脊部１１の脊部ループ面２１の背面左端と左肘掛部１２の左肘掛部ループ面２２の背面右端の境界に形成される溝部ｔ１に、左肘掛部カバー３２の背面部３２２の襠部３２２ｂ（図１７参照）を押し込む。襠部３２２ｂには面ファスナは縫着されていないので、簡単に押し込むことができるが、押し込んだ後は摩擦力で安定するので、外れることはない。
【００４５】
次に、脊部１１の脊部ループ面２１の正面左端と左肘掛部１２のループ面２２の右側面の間に形成される溝部ｔ２（図１７参照）に左肘掛部カバー３２の右側面部３２５の襠部３２５ａを押し込む。襠部３２５ａにも面ファスナは縫着されていないので、簡単に押し込むことができ、且つ押し込んだ後は摩擦力で安定するので、外れることはない。
【００４６】
最後に、座面部１４の座面部ループ面２４の正面左端と左肘掛部１２の左肘掛部ループ面２２の右側面の間に形成される溝部ｔ３（図１７参照）に左肘掛部カバー３２の正面部３２１の襠部３２１ｂを押し込み、座面部１４の座面部ループ面２４の正面右端と右肘掛部１３の左肘掛部ループ面２３の左側面の間に形成される溝部ｔ６（図１、図３参照）に右肘掛部カバー３３の正面左側の襠部を押し込む。押し込まれる襠部には両方とも面ファスナは縫着されていないので、簡単に押し込むことができ、且つ押し込んだ後は摩擦力で安定するので、外れることはない。
【００４７】
これにて、左肘掛部カバー３２は、水平方向にも緊張させられ、完全に安定した状態で左肘掛部１２の左肘掛部ループ面２２を被覆することとなる。なお、図１７に見るように、一部左肘掛部ループ面２２の左側面が露出している露出箇所には後に左マット部１５が載置されると隠されるので、問題はない。
【００４８】
同様の手順にて、右肘掛部１３の右肘掛部ループ面２３に、右肘掛部カバー３３を被せる。右肘掛部１３の構成は左肘掛部１２の構成と左右対称となるだけであるので、詳細な説明は省略する。左肘掛部１２の左肘掛部ループ面２２に、左肘掛部カバー３２が被せられ、右肘掛部１３の右肘掛部ループ面２３に、右肘掛部カバー３３が被せられた状態を、図１６に示す。
【００４９】
次に、背部１１の背部ループ面２１に、背部カバー３１を被せる手順を説明する。この際、脊部１１の底面部１７１の辺縁部は背部ループ面２１にて被覆されているので（図４参照）、背部カバー３１の背面部３１２の下端の襠部３１２ａ（図１５、図１６参照）のフック面Ｆを、底面部１７１の辺縁部に形成されている脊部ループ面２１に貼着させる。さらに、背部カバー３１の正面部３１１の下端部のフック面Ｆを背部１１の正面下部の脊部ループ面２１に貼着させる。これにて、背部カバー３１は、上下方向に緊張させられた状態となる。
【００５０】
次に、図２に見るように、脊部１１の脊部ループ面２１の背面左端と左肘掛部１２のループ面２２の背面右端の境界に形成される溝部ｔ１に、背部カバー３１の左側面部３１４の襠部３１４ｂ（図１５、図１６参照）を押し込む。溝部ｔ１には既に、左肘掛部カバー３２の背面部３２２の襠部３２２ｂ（図１７参照）が押し込まれているが、襠部３１４ｂには面ファスナは縫着されていないので、簡単に押し込むことができる。また、襠部３２２ｂが押し込まれている効果も加わり、押し込んだ後は摩擦力で襠部３２２ｂと襠部３１４ｂがさらに安定するので、外れることはない。
【００５１】
同様にして、脊部１１の脊部ループ面２１の背面右端と右肘掛部１３のループ面２３の背面左端の境界に形成される溝部ｔ４（図２参照）に、背部カバー３１の右側面部３１５の襠部３１５ｂ（図１５、図１６参照）を押し込む。溝部ｔ４には既に、右肘掛部カバー３３の背面部の襠部が押し込まれているが、襠部３１５ｂには面ファスナは縫着されていないので、簡単に押し込むことができる。また、右肘掛部カバー３３の背面部の襠部が押し込まれている効果も加わり、押し込んだ後は摩擦力でさらに安定するので、外れることはない。
【００５２】
次に、図１、図３に見るように、脊部１１の脊部ループ面２１の正面左端と左肘掛部１２のループ面２２が脊部ループ面２１に接する部分との間に形成される溝部ｔ２に、背部カバー３１の左側面部３１４の襠部３１４ａ（図１５、図１６参照）を押し込む。溝部ｔ４には既に、左肘掛部カバー３２の右側面部３２５の襠部３２５ａが押し込まれているが、襠部３１４ａには面ファスナは縫着されていないので、簡単に押し込むことができる。また、襠部３２５ａが押し込まれている効果も加わり、押し込んだ後は摩擦力で襠部３２５ａと襠部３１４ａがさらに安定するので、外れることはない。
【００５３】
同様にして、図１、図３に見るように、脊部１１の脊部ループ面２１の正面右端と右肘掛部１３のループ面２３の脊部ループ面２１に接する部分に形成される溝部ｔ５に、背部カバー３１の右側面部３１５の襠部３１５ａ（図１５参照）を押し込む。溝部ｔ５には既に、右肘掛部カバー３３の右側面部の襠部が押し込まれているが、襠部３１５ａには面ファスナは縫着されていないので、簡単に押し込むことができる。また、右肘掛部カバー３３の右側面部の襠部が押し込まれている効果も加わり、押し込んだ後は摩擦力でさらに安定するので、外れることはない。
【００５４】
これにて、背部カバー３１は、左右方向にも緊張させられた状態となるが、最後に、脊部カバー３１の分割溝３１Ｔを脊部１１の脊部ループ面２１の中央に形成された分割溝Ｔに埋設貼着させることによって、脊部カバー３１による脊部１１の脊部ループ面２１の被覆は完了する。
【００５５】
脊部カバー３１の分割溝３１Ｔを脊部１１の脊部ループ面２１の中央に形成された分割溝Ｔに埋設貼着させる手順は次のとおりである。すなわち、脊部カバー３１の分割溝３１Ｔには、裏面中央に面ファスナの分割溝ループ面３１Ｒが縫着されているので、この分割溝ループ面３１Ｒが完全に分割溝Ｔに埋設されるように押し込んでいく。この際、可撓性のある芯材Ｃのガイド作用により、押し込み作業は極めて容易となる。分割溝Ｔには面ファスナの分割溝フック面２１Ｆが縫着されているので、分割溝３１Ｔの裏面の分割溝ループ面３１Ｒは順次分割溝Ｔのフック面Ｆに点着固定され、図７、図１０に示すような状態となる。これにより、脊部カバー３１は完全に脊部１１の脊部ループ面２１に貼着固定され、脊部カバー３１の被覆作業は完了する。そして、図２、図３に見るように、外観的にも分割溝Ｔ（３１Ｔ）がくっきりとその姿を現わす。なお、図１８ａに見るように、一部背部ループ面２１の正面が露出している露出箇所には後に左マット部１５と右マット部１６が載置されると隠されるので、問題はない。
【００５６】
最後に、座面部１４の座面部ループ面２４に座面部正面カバー３４を被せる手順を説明する。この際、座面部正面カバー３４の本体３４１の上端の襠部３４１ａのフック面Ｆを、座面部１４の座面部ループ面２４の上面前端部に貼着させる。さらに、座面部１４の底面部１７４の辺縁部は座面部ループ面２４にて被覆されているので、座面部正面カバー３４の本体３４１の下端の襠部３４１ｂのフック面Ｆを、底面部１７４の辺縁部に形成されている座面部ループ面２４に貼着させる。これにて、座面部カバー３４は、上下方向に緊張させられた状態となる。
【００５７】
次に、図３に見るように、座面部１４の座面部ループ面２４の正面左端と左肘掛部１２のループ面２２の正面右端の境界に形成される溝部ｔ３に、座面部カバー３４の本体３４の左端の襠部３４１ｃ（図１８ａ参照）を押し込む。溝部ｔ３には既に、左肘掛部カバー３２の正面部３２１の襠部３２１ｂが押し込まれているが、襠部３４１ｃには面ファスナは縫着されていないので、簡単に押し込むことができる。また、襠部３２１ｂが押し込まれている効果も加わり、押し込んだ後は摩擦力で襠部３２１ｂと襠部３４１ｃがさらに安定するので、外れることはない。
【００５８】
同様にして、図３に見るように、座面部１４の座面部ループ面２４の正面右端と右肘掛部１３のループ面２３の正面左端の境界に形成される溝部ｔ６に、座面部カバー３４の本体３４１の右端の襠部３４１ｄ（図１８ａ参照）を押し込む。溝部ｔ６には既に、右肘掛部カバー３３の正面部の襠部が押し込まれているが、襠部３４１ｄには面ファスナは縫着されていないので、簡単に押し込むことができる。また、右肘掛部カバー３３の正面部の襠部が押し込まれている効果も加わり、押し込んだ後は摩擦力でさらに安定するので、外れることはない。これにて、座面部カバー３４は、左右方向にも緊張させられた状態となり、座面部カバー３４の座面部１４の座面部ループ面２４の座面部１４の正面への被覆が完了する。
【００５９】
このようにして、脊部カバー３１、左肘掛部カバー３２、右肘掛部カバー３３、座面部正面カバー３４の全てがループ面２の所定の部分を被覆し終わったら、座面部１４のループ面２４の上面に左マット部１５と右マット部１６を載置する。これにより、座面部ループ面２４が露出された状態であった座面部１４の座面部ループ面２４の上面が外観上隠され、さらに左肘掛部１２の右側面下部に左肘掛部ループ面２２が露出されていた状態、右肘掛部１３の左側面下部に右肘掛部ループ面２３が露出されていた状態、そして、脊部１１の正面下部に脊部ループ面２１が露出されていた状態がすべて隠され、カバー付きソファＡが完成する。
【００６０】
なお、左マット部１５の左マット部ループ面２５は左マット部カバー３５で完全に被覆され、右マット部１６の右マット部ループ面２６は右マット部カバー３６で完全に被覆されているのはいうまでもない。左マット部カバー３５によって左マット部１５の左マット部ループ面２５を被覆する方法、及び右マット部カバー３６によって右マット部１６の右マット部ループ面２６を被覆する方法は自由である。
【産業上の利用可能性】
【００６１】
本考案は、構成は非常に単純でありながら、カバーがしっかりと本体に固定され、その着脱も極めて容易なカバー付きソファを提案するものである。昨今、ライフスタイルの多様化から、家具類の模様替えが簡単にできるものが人気となっているが、本考案にては、質感や色を変化させたカバーの種類を豊富に用意すれば、好みのカバーに取り替えるだけで簡単に室内の雰囲気を変化させることができるので、ほとんどすべての部屋に適合させられる汎用調度としての価値は非常に高いものがある。また、カバーを簡単に着脱できるので、洗濯もきわめて容易である。この点も、従来のカバー付きソファには見られなかった特長である。
【００６２】
また、実施例１に述べたのは２人掛けソファの構成であるが、この構成は簡単に一人掛けソファや３人掛けソファ、さらには、車両用シートなどにも応用可能なものである。このような点でも、本考案の産業上の利用可能性は幅広いものであると考えられる。
【符号の説明】
【００６３】
１            本体
１１          脊部
１２          左肘掛部
１３          右肘掛部
１４          座面部
１５          左マット部
１６          右マット部
１７          底面部
１７１        底面部
１７２        底面部
１７３        底面部
１７４        底面部
２            ループ面
２１          脊部ループ面
２１Ｆ        分割溝フック面
２２          左肘掛部ループ面
２３          右肘掛部ループ面
２４          座面部ループ面
２５          左マット部ループ面
２６          右マット部ループ面
３            カバー
３１          脊部カバー
３１１        正面部
３１１ａ      左正面部
３１１ｂ      右正面部
３１２        背面部
３１２ａ      襠部
３１３        上面部
３１３ａ      左上面部
３１３ｂ      右上面部
３１４        左側面部
３１４ａ      前襠部
３１４ｂ      後襠部
３１５        右側面部
３１５ａ      前襠部
３１５ｂ      後襠部
３１Ｒ        分割溝ループ面
３１Ｔ        分割溝
３２          左肘掛部カバー
３２１        正面部
３２１ａ      襠部
３２１ｂ      襠部
３２２        背面部
３２２ａ      襠部
３２２ｂ      襠部
３２３        上面部
３２４        左側面部
３２４ａ      襠部
３２５        右側面部
３２５ａ      襠部
３２５ｂ      マット対応部
３２５ｃ      座面対応部
３３          右肘掛部カバー
３４          座面部カバー
３４１        本体
３４１ａ      襠部
３４１ｂ      襠部
３４１ｃ      襠部
３４１ｄ      襠部
３５          左マット部カバー
３６          右マット部カバー
４１          脚
４２          脚
４３          脚
４４          脚
Ａ            カバー付き２人掛けソファ
Ｃ            芯材
Ｆ            フック面
Ｒ            ループ面
Ｓ            縫着線
Ｔ            分割溝
ｔ１          溝部
ｔ２          溝部
ｔ３          溝部
ｔ４          溝部
ｔ５          溝部
ｔ６          溝部
【図１】
0003163065.tif 000003
【図２】
0003163065.tif 000004
【図３】
0003163065.tif 000005
【図４】
0003163065.tif 000006
【図５】
0003163065.tif 000007
【図６】
0003163065.tif 000008
【図７】
0003163065.tif 000009
【図８】
0003163065.tif 000010
【図９】
0003163065.tif 000011
【図１０】
0003163065.tif 000012
【図１１】
0003163065.tif 000013
【図１２】
0003163065.tif 000014
【図１３】
0003163065.tif 000015
【図１４】
0003163065.tif 000016
【図１５】
0003163065.tif 000017
【図１６】
0003163065.tif 000018
【図１７】
0003163065.tif 000019
【図１８】
0003163065.tif 000020